(57)【要約】【課題】作業者に庫内押棒の所在を消費電力と発熱量を抑えて発光表示し、即座に庫内側から自力解錠できるようにする。【解決手段】庫本体１に対して扉２を錠止するロック機構を備えており、非常時には庫内側から押圧操作される庫内押棒３によって前記ロック機構が解錠駆動されるようにした庫内押棒付き扉用ロックハンドル装置において、庫内押棒３のヘッド部４または庫内押棒３のベース部５の一部分であって庫内空間に露出した部位に、発光ダイオードにより構成した所在確認用発光部６を設ける。【選択図】    図２
0003103866.tif 000002
【実用新案登録請求の範囲】
【請求項１】
庫本体１に対して扉２を錠止するロック機構を備えており、非常時には庫内側から押圧
操作される庫内押棒３によって前記ロック機構が解錠駆動されるようにした庫内押棒付き扉用ロックハンドル装置において、
庫内押棒３のヘッド部４または庫内押棒３のベース部５の一部分であって庫内空間に露出した部位に、発光ダイオードにより構成した所在確認用発光部６を設けたことを特徴とする庫内押棒付き扉用ロックハンドル装置。
【考案の詳細な説明】
【技術分野】
【０００１】
本考案は、収蔵物品の出納のため作業員が出入りする業務用冷凍・冷蔵庫等の扉に装着される庫内押棒付きの扉用ロックハンドル装置に関するものである。
【背景技術】
【０００２】
作業員が出入りする業務用冷凍・冷蔵庫では、作業員が庫内で作業中に扉が外部から誤って錠止されても、当該作業員が自力で扉を解錠開放して早期に脱出できるようにするため、扉用ロックハンドル装置のロック機構を庫内側から駆動操作するための庫内押棒を装備してある（特許文献１参照）。
【０００３】
しかしながら、従来の扉用ロックハンドル装置では、庫内押棒の内端部にヘッド部を設けただけのものであり、庫内押棒の所在確認は専ら庫内壁面や天井に装備された庫内灯に頼っているに過ぎない。
そのため、庫内灯の電熱フィラメントが切断したり、外部からの何等かの誤操作によって庫内灯が消されてしまった場合には、作業員は真暗な庫内で庫内押棒の存在を早期に確認して操作に着手することができないため、パニックに陥り易い。
【０００４】
庫内押棒の所在確認のために、庫内押棒のヘッド部に所在確認灯を設けた扉用ロックハンドル装置を提案されている（特許文献２参照）。
しかしながら、この所在確認灯は、発光に際して発熱を伴う通常の電球を組み込んだものであるため、連続通電による消費電力は無視できない量となり、その発熱は庫内温度の上昇という悪影響がある。また、電熱フィラメントの寿命が比較的短いため、所在確認灯の点検と交換を比較的短いサイクルで行なう必要がある。
【特許文献１】実開昭５５−１０９７５８号公報
【特許文献１】実開平１−１２００８７号公報
【考案の開示】
【考案が解決しようとする課題】
【０００５】
解決しようとする課題は、庫内押棒付きの扉用ロックハンドル装置において、庫内温度を上昇させずに消費電力を抑制して庫内押棒の所在確認をいかに確実に行なわせるかの点である。
【課題を解決するための手段】
【０００６】
本考案の主たる特徴は、庫本体１に対して扉２を錠止するロック機構を備えており、非常時には庫内側から押圧操作される庫内押棒３によって前記ロック機構が解錠駆動されるようにした庫内押棒付き扉用ロックハンドル装置において、
庫内押棒３のヘッド部４または庫内押棒３のベース部５の一部分であって庫内空間に露出した部位に、発光ダイオードにより構成した所在確認用発光部６を設けたことである。
【考案の効果】
【０００７】
本考案の庫内押棒付き扉用ロックハンドル装置では、庫内押棒３のヘッド部４またはベース部５に設けた所在確認用発光部６が発光ダイオードで構成されているため、該発光部６における発熱量は皆無であるか極めて微小に抑えることができ、業務用冷凍・冷蔵庫に適用した場合、庫内温度の好ましからざる上昇を招くことがない。また、発光ダイオードは消費電力が極めて少ないから、運転コストが低減される。さらにまた、発光ダイオードは長寿命であるため、所在確認用発光部６の発光源の点検や交換の作業サイクルが長くなり、保守コストも低減される。
【考案を実施するための最良の形態】
【０００８】
発光ダイオードの発光量に応じて、発光ダイオードは単立に又は複数個並立して使用される。発光ダイオードを励起する電源としては、所在確認用発光部６それ自体または所在確認用発光部６の近傍に配設したリチウム電池等による内蔵直流電源方式と、ヘッド部４またはベース部５以外の外部に設置した電池等の直流電源あるいは商用電源を変圧・整流して使用する外部電源方式がある。
商用電源を使用する場合には、安全確保のためには、本来の庫内灯とは別系統の給電回路を使用するのが望ましい。電源スィッチの投入忘れによる不点灯の事態を回避するためには、所在確認用発光部６を扉２の開閉にかかわらず常時点灯とすることもできる。
また、扉２の閉鎖を検知して自動的にオン動作する自動投入スィッチを活用することによって、扉２の閉鎖時のみに点灯することもできる。
【実施例１】
【０００９】
図１から図３は本考案の実施例１を示し、所在確認用発光部６は庫内押棒３のガイド用ベース部５に設けられている。内部電源としてリチウム電池が使用されている。
所在確認用発光部６は、庫内押棒３の真正面側から見たとき、その全部または一部がヘッド部４の外側に現れるようにベース部５に配置される。
ベース部５は、ビスなどの固着具によって扉２の背面側に固着され、庫内押棒３はベース部５の中央孔から扉２の貫通孔１２に通されている。
【００１０】
業務用冷凍・冷蔵庫において扉２が閉鎖施錠されたとき、庫内に居る作業員は点灯されている所在確認発光部６によって庫内押棒３の存在位置を明確に目視確認することができ、庫内押棒３を押圧操作して、扉用ロックハンドル装置７の内部のロック機構を解錠方向に駆動する。
【００１１】
扉用ロックハンドル装置７のロック機構の一部をなす直線摺動ラッチ体９は、操作ハンドル８を外部から引かなくとも、受金装置１０の受金体１１から離脱し、扉２は庫本体１に対する施錠を解除される。
解錠された扉２は、そのまま庫内押棒３を押し続けることによって開放され、作業員は業務用冷凍・冷蔵庫から緊急脱出できる。
【００１２】
図４と図５は本考案の実施例２を示し、所在確認用発光部６は庫内押棒３のヘッド部４の透明又は半透明な正面中央部に収容されている。内部電源としてリチウム電池が使用されている。
【図面の簡単な説明】
【００１３】
【図１】本考案の実施例１に係る庫内押棒付き扉用ロックハンドル装置を備えた業務用冷蔵庫の要部斜視図である。
【図２】図１の扉用ロックハンドル装置に使用した庫内押棒の正面図である。
【図３】図２の庫内押棒の右側面図である。
【図４】本考案の実施例２における庫内押棒の正面図である。
【図５】図４の庫内押棒の右側面図である。
【符号の説明】
【００１４】
１  庫本体
２  扉
３  庫内押棒
４  庫内押棒のヘッド部
５  庫内押棒のベース部
６  所在確認用発光部
７  扉用ロックハンドル装置
８  操作ハンドル
９  直線摺動ラッチ体
１０  受金装置
１１  受金体
１２  貫通孔
【図１】
0003103866.tif 000003
【図２】
0003103866.tif 000004
【図３】
0003103866.tif 000005
【図４】
0003103866.tif 000006
【図５】
0003103866.tif 000007